(57)【要約】本発明の一実施形態による粘膜下組織治療装置は、治療部位の粘膜に接近可能な探針部材；前記探針部材に備えられ、前記粘膜の粘膜下組織の血管に電気信号を印加する電極；および、前記探針部材が移動可能に収容され、前記粘膜に対する前記電極の位置を案内するガイド部材；を含む。
2021514226.tif 000002
【特許請求の範囲】
【請求項１】
治療部位の粘膜に接近可能な探針部材；
前記探針部材に備えられ、前記粘膜の粘膜下組織の血管に電気信号を印加する電極；および
前記探針部材が移動可能に収容され、前記粘膜に対する前記電極の位置を案内するガイド部材；
を含む、粘膜下組織治療装置。
【請求項２】
前記ガイド部材は、前記粘膜に対して位置が固定され、
前記探針部材は、前記ガイド部材に回転可能に収容される、請求項１に記載の粘膜下組織治療装置。
【請求項３】
前記ガイド部材は、基準位置表示部を含み、前記基準位置表示部を基準にして前記粘膜に対する前記電極の回転位置を案内する、請求項２に記載の粘膜下組織治療装置。
【請求項４】
前記ガイド部材は、
前記探針部材が回転可能に収容される第１収容ホールが形成されたガイド本体部；および
前記第１収容ホールと連通され前記探針部材が回転可能に収容される第２収容ホールが形成され、前記ガイド本体部に一体に拡張形成される拡張ガイド部；
を含む、請求項２に記載の粘膜下組織治療装置。
【請求項５】
前記探針部材は、前記ガイド部材に対して直線移動可能に収容される、請求項２に記載の粘膜下組織治療装置。
【請求項６】
前記ガイド部材に対する前記探針部材の回転および直線移動をガイドする移動ガイド部；をさらに含み、
前記移動ガイド部は、
前記探針部材に形成されるガイド溝；および
前記ガイド部材に形成されて、前記ガイド溝に沿ってスライディングするガイド突起；
を含む、請求項５に記載の粘膜下組織治療装置。
【請求項７】
前記ガイド溝は、
前記探針部材の外表面にて、前記探針部材の長さ方向に沿って延長される直線ガイド溝；および
前記直線ガイド溝と連通され、前記探針部材の長さ方向に沿って相互に離隔される複数個の回転ガイド溝；
を含み、
前記複数個の回転ガイド溝は、いずれも、前記探針部材の外表面にて、前記探針部材の周縁方向に沿って延長される、請求項６に記載の粘膜下組織治療装置。
【請求項８】
前記複数個の回転ガイド溝は、連続して隣接する第１、２及び３回転ガイド溝を含み、
前記直線ガイド溝は、
前記第１及び２回転ガイド溝の間に形成される第１区間ガイド溝；および
前記第２及び３回転ガイド溝の間に形成され、前記探針部材の長さ方向に沿って、前記第１区間ガイド溝とは互いに異なる線の上に配置される第２区間ガイド溝；を含む、請求項７に記載の粘膜下組織治療装置。
【請求項９】
前記複数個の回転ガイド溝は、前記探針部材の長さ方向に沿った電極の長さだけ、相互に離隔される、請求項７に記載の粘膜下組織治療装置。
【請求項１０】
前記ガイド溝に形成され前記ガイド突起が、位置固定されるように収容される、複数個の拘束凹部；を含む、請求項７に記載の粘膜下組織治療装置。
【請求項１１】
前記複数個の拘束凹部は
前記回転ガイド溝に形成され、前記探針部材の周縁方向に沿って離隔される、請求項１０に記載の粘膜下組織治療装置。
【請求項１２】
前記複数個の拘束凹部は、前記探針部材の周縁方向に沿った電極の長さだけ、相互に離隔される、請求項１１に記載の粘膜下組織治療装置。
【請求項１３】
前記ガイド本体部の端部には、前記探針部材の長さ方向に形成され、前記探針部材の周縁方向に相互に離隔される一対の切開部；が形成され、
前記ガイド突起は、前記一対の切開部によって形成されるカンチレバー（ｃａｎｔｉｌｅｖｅｒ）構造における自由端に配置される、請求項１０に記載の粘膜下組織治療装置。
【請求項１４】
前記探針部材に形成され、前記ガイド部材に対する前記探針部材の位置を表示する位置表示部；を含む、請求項２に記載の粘膜下組織治療装置。
【請求項１５】
前記探針部材は、
ロッド部；および
前記ロッド部の端部に形成され前記ロッド部よりも拡張された大きさを有し、前記電極が装着されるヘッド部；を含む、請求項１に記載の粘膜下組織治療装置。
【請求項１６】
前記電極は、前記ヘッド部より小さな大きさを有し、前記ヘッド部の外表面を部分的に覆うように装着され、
前記電極の外表面は曲面に形成され、前記電気信号が前記曲面を通じて放射状（ｒａｄｉａｌ  ｓｈａｐｅ）に放出される、請求項１５に記載の粘膜下組織治療装置。
【請求項１７】
前記ヘッド部は、内部に重量体を含む、請求項１５に記載の粘膜下組織治療装置。
【請求項１８】
前記電極は、
前記探針部材に取り付けられる電極パッド；および
前記電極パッドの外表面から突出する電極突起；を含む、請求項１に記載の粘膜下組織治療装置。
【請求項１９】
前記電極の外表面に形成され、前記電極から前記粘膜に伝達される熱伝導を抑制するコーティング層；を含む、請求項１に記載の粘膜下組織治療装置。
【請求項２０】
前記電気信号は、少なくとも１回の休止期を挟んで繰り返して伝導されるパルス信号である、請求項１に記載の粘膜下組織治療装置。
【発明の詳細な説明】
【技術分野】
【０００１】
本発明は、粘膜下組織治療装置に関するものであって、より詳しくは、電気信号を用いて粘膜下組織に存在する血管の処置のために使用されるとともに、施術の安全性および利便性を向上させることができる粘膜下組織治療装置に関するものである。
【背景技術】
【０００２】
身体の粘膜とは、呼吸器官、消化器官、泌尿生殖器管などのように外部と直接に相接している中腔器官の内壁を意味する。より具体的に、身体の粘膜は、位置によって、口腔粘膜、鼻粘膜、咽喉頭粘膜、気管支粘膜、膣粘膜、亀頭粘膜、尿道粘膜、肛門粘膜などに分類できる。
【０００３】
図１６を参照すれば、一般に粘膜の構造は、皮膚と類似の構造を有している。外部に露出される上皮（ｅｐｉｔｈｅｌｉｕｍ）と固有層（ｌａｍｉｎａ  ｐｒｏｐｒｉａ）からなる粘膜（ｍｕｃｏｓａ）は、皮膚の表皮層に該当するのであり、粘膜の下方に位置する粘膜下組織（ｓｕｂｍｕｃｏｓａ）は、皮膚の真皮層に該当する。即ち、皮膚と類似して、粘膜下組織には数多くの血管が存在し、このような血管が、粘膜および粘膜下組織に存在する細胞および細胞外成分の成長と合成に関与することとなる。
【０００４】
コラーゲンは、伸縮性の良い皮膚及び粘膜において最も豊富な蛋白質であり、その機能を維持するのに必要な機械的および構造的な完全性を提供する。多くの類型のコラーゲンが存在し、コラーゲンＩが最もありふれている。これは、原線維形成と呼ばれる工程で、コラーゲン繊維を形成するか、関連した原線維の形態に構造化される。他の類型のコラーゲンは、ＩＩＩ、ＩＶ、ＶＩＩおよびＶＩＩＩである。真皮にて二番目に最も重要な蛋白質はエラスチンである。エラスチンは、原線維構造でもって取り囲まれた中心の疎水性の核を有する、不溶性弾性繊維の形態に構成される。これは、コラーゲンよりはむしろ疎水の蛋白質であるが、弾性の維持および皮膚の耐性において重要である。
【０００５】
粘膜下組織または真皮における、このような細胞外結合組織は、炎症反応の結果として損傷を受け得る。老化、乾燥した環境、反復的な摩擦による物理的損傷、化学物質への露出は、粘膜および粘膜下組織の炎症反応を増加させ、細胞外基質の蛋白質分解システムを活性化させる。血管を通じて組織内に放出される食細胞が炎症を招いてマトリックスメタロプロテアーゼ（ＭＭＰ）を放出することとなる。このようなＭＭＰは、炎症過程の後にコラーゲンおよびエラスチン分子を分解させる。ＭＭＰ−１はコラーゲンＩおよびコラーゲンＩＩＩを分解させる一方、ＭＭＰ−１２はエラスチンに対して最も活性的に分解作用を起こす。過度なコラーゲンおよびエラスチンの分解は、粘膜組織の弛緩（ｆｌａｃｃｉｄ）および伸張を招く。
【０００６】
一方、粘膜には各種疾患または異常症状が発生しうるのであり、症状に応じて適切な治療が行われ得なければならない。
【０００７】
身体の粘膜異常症状の一つとして、女性の膣粘膜が伸張される膣弛緩症がある。女性の膣粘膜は伸縮性の良い組織から構成されるが、性関係と出産などが反復的に行われれば、膣粘膜が次第に伸張されることによって弾力と摩擦力が減って、収縮性が低下する。
【０００８】
このように、膣粘膜の収縮性が低下すれば、性関係中に圧力と摩擦が減少して性的快楽が減少するだけでなく、尿失禁や自信感の問題にまで拡大されて心理的萎縮を経験することとなりうるのであり、このような粘膜下組織の炎症を治療するか、弛緩症状を治療することは、重要な課題となる。
【発明の概要】
【発明が解決しようとする課題】
【０００９】
本発明の実施形態は、粘膜組織内のコラーゲンおよびエラスチンの分子の分解を誘発する炎症反応および膣粘膜伸張の原因または悪化の要因になる、粘膜下組織の血管に、適切な熱損傷を与えて、原因血管の非正常的な過増殖を正常化することによって、粘膜組織の収縮性を維持させ、弾力を改善させることができる、電気信号を伝導する電極を用いた粘膜下組織治療装置を提供しようとする。
【００１０】
また、粘膜組織の処置の施術の安全性を保障し、施術の便宜性を向上させるために、粘膜に対する電極の位置を正確に制御し、電極の位置制御を容易に行うことができる粘膜下組織治療装置を提供しようとする。
【００１１】
また、治療対象粘膜の周辺の神経や組織の損傷および副作用を最少化することができる粘膜下組織治療装置を提供しようとする。
【００１２】
また、粘膜処置施術にかかる時間を短縮し、患者の不便さを最少化することができる粘膜下組織治療装置を提供しようとする。
【課題を解決するための手段】
【００１３】
本発明の一実施形態による粘膜下組織治療装置は、治療部位の粘膜に接近可能な探針部材；前記探針部材に備えられ、前記粘膜の粘膜下組織の血管に電気信号を印加する電極；および、前記探針部材が移動可能に収容され、前記粘膜に対する前記電極の位置を案内するガイド部材；を含む。
【００１４】
前記ガイド部材は前記粘膜に対して位置が固定され、前記探針部材は前記ガイド部材に回転可能に収容されうる。
【００１５】
前記ガイド部材は、基準位置表示部を含み、前記基準位置表示部を基準にして、前記粘膜に対する前記電極の位置を案内することができる。
【００１６】
前記ガイド部材は、前記探針部材が貫通し前記ヘッド部よりさらに小さな直径を有する第１収容ホールが形成されたガイド本体部；および、前記ガイド本体部から遠くなるほど拡張された断面積を有するように形成されるとともに、前記第１収容ホールと連通され、前記探針部材が貫通し、前記ヘッド部よりさらに広い直径を有する、第２収容ホールが形成される拡張ガイド部；を含むことができる。
【００１７】
前記探針部材は、前記ガイド部材に直線移動可能に収容されうる。
【００１８】
前記ガイド部材に対する前記探針部材の回転および直線移動をガイドする移動ガイド部；をさらに含み、前記移動ガイド部は、前記探針部材に形成されるガイド溝；および、前記ガイド部材に形成されて、前記ガイド溝に沿ってスライディングするガイド突起；を含むことができる。
【００１９】
前記ガイド溝は、前記探針部材の外表面にて、前記探針部材の長さ方向に沿って延長される直線ガイド溝；および、前記直線ガイド溝と連通され、前記探針部材の長さ方向に沿って相互に離隔される複数個の回転ガイド溝；を含み、前記複数個の回転ガイド溝のそれぞれは、前記探針部材の外表面にて前記探針部材の周縁方向に沿って延長されうる。
【００２０】
前記複数個の回転ガイド溝は連続して隣接する第１、２及び３回転ガイド溝を含み、前記直線ガイド溝は、前記第１及び２回転ガイド溝の間に形成される第１区間ガイド溝；および前記第２及び３回転ガイド溝の間に形成され、前記探針部材の長さ方向に沿って、前記第１区間ガイド溝とは互いに異なる線上に配置される第２区間ガイド溝；を含むことができる。
【００２１】
前記複数個の回転ガイド溝は、前記探針部材の長さ方向に沿った電極の長さだけ、相互に離隔されうる。
【００２２】
前記ガイド溝に形成され、前記ガイド突起が位置固定されるように収容される複数個の拘束凹部；を含むことができる。
【００２３】
前記複数個の拘束凹部は、前記回転ガイド溝に形成され、前記探針部材の周縁方向に沿って離隔されうる。
【００２４】
前記複数個の拘束凹部は、前記探針部材の周縁方向に沿った電極の長さだけ、相互に離隔されうる。
【００２５】
前記ガイド本体部の端部には、前記探針部材の長さ方向に形成され、前記探針部材の周縁方向に相互に離隔される一対の切開部；が形成され、前記ガイド突起は、前記一対の切開部によって形成される、カンチレバー（ｃａｎｔｉｌｅｖｅｒ）構造の自由端に配置されうる。
【００２６】
前記探針部材に形成され、前記ガイド部材に対する前記探針部材の位置を表示する位置表示部；を含むことができる。
【００２７】
前記探針部材は、ロッド部；および前記ロッド部の端部に形成され、前記ロッド部よりも拡張された大きさを有し、前記電極が装着されるヘッド部；を含むことができる。
【００２８】
前記電極は、前記ヘッド部より小さな大きさを有し、前記ヘッド部の外表面を部分的に覆うように装着され、前記電極の外表面は曲面に形成され、前記電気信号が前記曲面を通じて放射状（ｒａｄｉａｌ  ｓｈａｐｅ）に放出されうる。
【００２９】
前記ヘッド部は、内部に重量体を含むことができる。
【００３０】
前記電極は、前記探針部材に取り付けられる電極パッド；および前記電極パッドの外表面から突出する電極突起；を含むことができる。
【００３１】
前記電極の外表面に形成され、前記電極から前記粘膜に伝達される熱の伝達を抑制するコーティング層；をさらに含むことができる。
【００３２】
前記電気信号は、少なくとも１回の休止期を挟んで繰り返して伝導されるパルス信号であってもよい。
【発明の効果】
【００３３】
本発明による実施形態によれば、粘膜下組織の血管に適切な熱損傷を与えて、原因血管の非正常的な過増殖を正常化して、早期に粘膜組織の収縮性を維持させ弾力を改善させることができる。
【００３４】
また、粘膜処置施術の安全性を保障し、施術の利便性を向上させることができる。
【００３５】
また、粘膜に対する電極の位置を、施術者が肉眼で直接に確認することができ、粘膜に対する電極の位置を正確に制御することができる。
【００３６】
また、電極の位置制御を容易に行うことができる。
【００３７】
また、施術者の経験および力量に大きく制約を受けることなく、客観的で専門的な治療を可能にすることができる。
【００３８】
また、治療対象粘膜の周辺の神経や組織の損傷および副作用を最少化することができる。
【００３９】
また、粘膜処置施術にかかる施術時間を短縮することができ、施術後副作用や患者の不便さを最少化することができる。
【図面の簡単な説明】
【００４０】
【図１】本発明の一実施形態による粘膜下組織治療装置を示した斜視図である。
【図２】本発明の一実施形態による粘膜下組織治療装置を示した分離斜視図である。
【図３】本発明の一実施形態による粘膜下組織治療装置中の探針部材を説明するための図である。
【図４】本発明の一実施形態による粘膜下組織治療装置中の探針部材を説明するための図である。
【図５】本発明の一実施形態による粘膜下組織治療装置中のガイド部材を説明するための図である。
【図６】本発明の一実施形態による粘膜下組織治療装置中のガイド部材を説明するための図である。
【図７】本発明の一実施形態による粘膜下組織治療装置中のガイド部材に形成される切開部を説明するための図である。
【図８】本発明の一実施形態による粘膜下組織治療装置中のガイド部材に形成される切開部を説明するための図である。
【図９】本発明の一実施形態による粘膜下組織治療装置による粘膜処理過程を説明するための図である。
【図１０】本発明の一実施形態による粘膜下組織治療装置による粘膜処理過程を説明するための図である。
【図１１】本発明の一実施形態による粘膜下組織治療装置による粘膜処理過程を説明するための図である。
【図１２】本発明の一実施形態による粘膜下組織治療装置であって、電極の他の実施形態を説明するための図である。
【図１３】本発明の一実施形態による粘膜下組織治療装置であって、電極の他の実施形態を説明するための図である。
【図１４】本発明の一実施形態による粘膜下組織治療装置中のモータドライブモジュールを説明するための図である。
【図１５】本発明の一実施形態による粘膜下組織治療装置で、休止期を挟んで繰り返して伝導されるパルス信号を説明するための図である。
【図１６】一般的な粘膜の構造を例示的に説明した図である。
【発明を実施するための形態】
【００４１】
以下、添付した図面を参照して本発明の実施形態について本発明の属する技術分野における通常の知識を有する者が容易に実施できるように詳しく説明する。本発明は様々な異なる形態に実現でき、ここで説明する実施形態に限定されない。
【００４２】
図面で本発明を明確に説明するために説明上不必要な部分は省略し、明細書全体にわたって同一または類似の構成要素については同一な参照符号を付けた。
【００４３】
明細書全体で、ある部分が他の部分と“連結”されているという時、これは“直接的に連結”されている場合だけでなく、他の部材を挟んで“間接的に連結”されたことも含む。また、ある部分がある構成要素を“含む”という時、これは特に反対になる記載がない限り他の構成要素を除外するのではなく他の構成要素をさらに含むことができるのを意味する。
【００４４】
明細書全体で、層、膜、領域、板などの部分が他の部分“〜の上に”または“〜上に”あるという時、これは他の部分の“真上に”ある場合だけでなく、その中間に他の部分がある場合も含む。そして、“〜の上に”または“〜上に”というのは対象部分の上または下に位置することを意味し、必ずしも重力方向を基準にして上側に位置することを意味しない。
【００４５】
図１および図２を参照すれば、本発明の実施形態による粘膜下組織治療装置１０は、治療部位の粘膜に接近可能な探針部材１００と、探針部材１００に備えられ粘膜下組織の血管に電気信号を印加する電極２００とを含む。また、探針部材１００が移動可能に収容され、粘膜に対する電極２００の位置を案内するガイド部材３００をさらに含むことができる。
【００４６】
電極２００の外表面は曲面に形成されてもよく、電気信号が曲面を通じて放射状（ｒａｄｉａｌ  ｓｈａｐｅ）に放出されうる。
【００４７】
電極に印加される電気信号は、少なくとも１回の休止期を挟むようにして繰り返して伝導されるパルス信号であってもよい。追加的に、前記粘膜に対する電極２００の位置を案内するガイド部材３００をさらに含むことができる。
【００４８】
参考として、本発明で粘膜とは、呼吸器官、消化器官、泌尿生殖器管などといった外部と直接に相接している、中腔器官の内壁を形成する、身体の多様な粘膜を含むものと定義され、粘膜の種類によって本発明が制限されたり限定されたりするのではない。
【００４９】
より具体的に、粘膜は、鼻粘膜（ｎａｓａｌ  ｍｕｃｏｓａ）、口腔粘膜（ｏｒａｌ ｍｕｃｏｓａ）、尿道粘膜（ｐｒｏｌａｐｓｅｄ  ｕｒｅｔｈｒａｌ  ｍｕｃｏｓａ）、咽喉頭粘膜（Ｌａｒｙｎｇｏｐｈａｒｙｎｇｅａｌｍｕｃｏｓａ）、膣粘膜（ｖａｇｉｎａｌ  ｍｕｃｏｓａ）、亀頭粘膜（ｇｌａｎｄｕｌａｒ  ｕｒｅｔｈｒａ  ｍｕｃｏｓａ）、肛門粘膜（ａｎａｌ  ｍｕｃｏｓａ）のうちのいずれか一つであり得る。
【００５０】
一例として、膣粘膜の場合、乾燥した環境、反復的な摩擦による物理的損傷、化学物質への露出は、粘膜の炎症過程を増加させ、増加された炎症過程の後に、コラーゲンおよびエラスチンの分子の分解が起こり、その結果、膣粘膜組織の弛緩および伸張がもたらされる。
【００５１】
このように炎症過程の原因または悪化の要因になる血管の場合には、適切な熱損傷が加えられれば、原因血管の非正常的な過増殖が正常化できる。また、物理的損傷によって過度に生成された新生血管の数を減らすことによって膣粘膜の収縮性を維持させ弾力を改善させることができる。
【００５２】
本発明の実施形態は、原因血管の非正常的な過増殖を正常化し、膣粘膜の収縮性を維持させ弾力を改善するために用意される。より具体的に、本発明の実施形態は、粘膜組織の層ごと及び組織ごとによる、組織のインピーダンス、伝導率及び誘電率の差を用い、電気的信号を、電極を通じて粘膜内に伝達させて、粘膜下組織に影響を与えることが可能な装置であり、特にインピーダンスの変化が急激に行われる血管壁と血管内部の特性を用いて血管の選択的治療が可能な装置である。
【００５３】
また、本発明の実施形態は、血管に起こる熱反応の程度を調節するために、伝達する電気信号の強度を調節することができ、これによって血管組織の充血（ｃｏｎｇｅｓｔｉｏｎ）、再生（ｒｅｇｅｎｅｒａｔｉｏｎ）、リモデリング（ｒｅｍｏｄｅｌｉｎｇ）、増殖（ｇｒｏｗｔｈ）、再増殖（ｒｅｇｒｏｗｔｈ）、退化（ｄｅｇｒａｄａｔｉｏｎ）、消滅（ｄｅｇｅｎｅｒａｔｉｏｎ）などの効果のうちの所望の効果を選択的に発生させる治療装置である。
【００５４】
また、本発明の実施形態は、原因または悪化要因になる粘膜下組織の血管に、適切な熱反応を起こして、非正常的な過増殖を正常化するか、原因血管の血管細胞の大食作用（ｐｈａｇｏｃｙｔｏｓｉｓ）または細胞の自殺（ａｐｏｐｔｏｓｉｓ）を誘導して各治療目的での治療効果を高めるだけでなく、従来の治療法における、血管および組織に過度に熱損傷を加えて生じる副作用を減らし、除去された血管の過増殖（ｈｙｐｅｒｐｌａｓｉａ）の再形成による病変についての再発生率を低めることができる。
【００５５】
具体的に、本発明の一実施形態による粘膜下組織治療装置１０は、粘膜および粘膜下組織内に電場（Ｅｌｅｃｔｒｉｃ  Ｆｉｅｌｄ）を形成して、粘膜下組織に存在する血管を主に治療する装置である。
【００５６】
即ち、粘膜および粘膜下組織内の一定の領域に均等に電場を形成し、これによって血管に熱作用が起こり、これによって各種病変を治療するものであって、これは従来の高周波治療技術が粘膜内コラーゲン生成を主目的にして粘膜組織自体を熱によって凝固させるのと異なり、組織内に特定条件の電場を形成すれば初期に血管以外の組織より血管に主に電気的信号が作用する現象を用いたものである。
【００５７】
即ち、従来の高周波治療技術は粘膜内のコラーゲン生成が主目的であるので、相対的に長い伝導時間を要求するが、本発明はそれより短い伝導時間のみでも治療効果を有することができる。もちろん、伝導時間以外に、電圧、電力、粘膜内のインピーダンスなどの複合的な条件の調節が必要なことがある。また、本発明の実施形態で、血管での高い伝導度によって、粘膜内他の組織が熱凝固される前に、血管が先に熱凝固されることが可能であり、血管に選択的な凝固が起こる短い伝導時間は、主に５０ｍｓｅｃ以内を意味し、さらに広くは１００ｍｓｅｃ以内であり、さらに広くは３００ｍｓｅｃ以内になり得る。
【００５８】
一方、本発明の実施形態では、血管以外の粘膜組織に過度な熱反応が起こることを防止し、血管への熱反応を集中させるために、一定時間の休止期（ｄｅｌａｙ  ｔｉｍｅ）を挟むようにして１回以上、反復的な伝導時間を有する電気信号である複数のパルス信号を生成することができる。
【００５９】
即ち、本発明の実施形態では、休止期を置いて反復的な電気的信号を生成することによって、印加電圧を相対的に高めることができるようになることによって伝導時間を相対的に短く形成することができるようになることによって血管以外の周辺組織への影響を最少化することができるようになる。
【００６０】
この際、繰り返される１回の伝導時間は、装置の様々な条件によって変わりうるのであり、毎回の伝導時間の長さが同一であってもよく、それぞれ異なってもよい。また、休止期の時間の長さも毎回異なってもよい。
【００６１】
休止期が過度に短い場合（例えば、０．１ｍｓｅｃ未満の場合）には原因血管以外の組織にも熱損傷が発生しうるのであり、過度に長い場合には（例えば、５００ｍｓｅｃ超過の場合）原因血管に印加される信号の連続性に影響を与えることによって原因血管での熱反応が十分に行われないことがありうる。
【００６２】
これとは反対に、伝導時間（電気信号印加時間）が過度に長い場合（例えば、４５０ｍｓｅｃ超過の場合）には、血管以外の組織に過度な熱反応を起こしうるのであり、過度に短い場合（例えば、１ｍｓｅｃ未満の場合）は血管での熱反応が十分に行われないことがありうる。
【００６３】
本発明の実施形態においては、電極に印加される電気信号が図１５のようなパルス信号であって、交流パルス信号であることが直流パルス信号であることよりも熱反応を起こすのに、さらに好ましい。
【００６４】
本発明の実施形態による治療装置を通じて、血管の血管細胞に適正な損傷を加える技術的原理は次の通りである。
【００６５】
原因血管の内部の血液の大部分は水から構成されており、伝導率（ｃｏｎｄｕｃｔｉｖｉｔｙ）が高くて、電場内の電気的信号を他の粘膜内組織に比べて、最も先に強力に引き寄せるのであり、血管壁と血液との間のインピーダンスの差が激しく、血管壁の誘電率（ｐｅｒｍｉｔｔｉｖｉｔｙ）が高くなっており、血管壁に集中された電荷の振動による熱反応を引き起こす原理となっている。参考として、水分子とイオン物質は、電磁波の形態の電気的信号によって振動を引き起こし、振動による摩擦によって熱を発生させる。
【００６６】
この際、血管の内側の境界と相接する部位の血液を通じて、電気的信号が抜け出るという現象によって、血管壁の内側は熱反応が少なく起こるようになり、流れる血液によって熱が分散して、血管壁の内層は熱反応が少なく、血管壁の外層に熱が集中されるようになる。
【００６７】
このように、本発明の実施形態による治療装置は、原因血管の組織以外の周辺の粘膜組織には損傷を加えない状態で、血管壁に熱を引き起こすことが可能な治療装置である。以下の説明では、本発明の実施形態による治療装置の治療対象となる粘膜として、主に膣粘膜を例にして説明するが、これに限定されるのではない。
【００６８】
図１および２に示されているように、本発明の一実施形態において、探針部材１００は、施術者の操作によって粘膜に選択的に接近可能に設けられる。一例として、探針部材１００は、施術者の操作によって身体内部に進入可能に設けられる。
【００６９】
より具体的に、探針部材１００は、ロッド部１１０と、ロッド部１１０より拡張された大きさを有するようにロッド部１１０の端部に形成されるヘッド部１２０とを含む。
【００７０】
ロッド部１１０は、図２に示されているように、所定の長さを有する棒（ｒｏｄ）の形態に形成することができる。一例として、ロッド部１１０は、円形断面を有する直線形態の棒であってもよく、他の例としては、ロッド部が楕円形または多角形の断面形態を有するように形成することができる。また他の例としては、ロッド部を折り曲げられた形態に形成するか、２つ以上の部材を組み合わせてロッド部を構成することもできる。
【００７１】
ロッド部１１０は、施術者が容易に把持および操作できる十分な長さおよび太さ（厚さ）を有するように形成することができるのであり、ロッド部１１０の長さおよび太さ（厚さ）によって本発明が制限されたり限定されたりするのではない。
【００７２】
ヘッド部１２０は、ロッド部１１０よりも拡張された大きさを有するようにロッド部１１０の端部に形成され、粘膜が位置した身体内部、例えば膣内部に進入されて膣粘膜に接触されうる（図９参照）。
【００７３】
ヘッド部１２０の形状および構造は、要求される条件および設計仕様によって多様に変更されうる。本発明の一実施形態によれば、ヘッド部１２０が身体内部に挿入される際の粘膜の傷を最少化することができるように、ヘッド部１２０の外表面は曲面の形態に形成できる。
【００７４】
一例として、ヘッド部１２０は、楕円体の形態に形成されうる。このように、ヘッド部１２０を身体の入口と類似の楕円体の形態に形成することによって、身体内部に向かったヘッド部１２０の進入がより容易に行われ、ヘッド部１２０が身体内部に進入される際に患者に加えられる圧迫感を減らして、より安楽な環境にて粘膜治療を可能にするという有利な効果を得ることができる。場合によっては、ヘッド部を球の形態に形成したり、中央部が窪んだ竪杵（臼棒）の形態またはその他の幾何学的形態に形成したりすることも可能である。
【００７５】
一例として、女性の平均的な膣の大きさ（直径）はおよそ３５ｍｍ前後であり、他の組織に比べて相対的によく弛緩される組織であるので、ヘッド部１２０の幅（厚さ）は、膣の大きさを考慮して適切に選択されうるが、膣内壁に密着が容易なように３０〜６０ｍｍで形成されうる。ここで、膣の治療時、ヘッド部１２０の幅は、施術対象者の拒否感が少なく、施術者のハンドリングに最適化されるように、３５〜４５ｍｍで形成されるのが好ましいのでありうるが、必ずしもこれに限定されるのではない。
【００７６】
また、探針部材１００には、施術者が探針部材１００を容易に把持することができるようにグリップ部（図示せず）が形成されうる。ここで、グリップ部は探針部材１００に一体に形成されるか選択的に分離可能に結合されうるのであり、グリップ部の装着位置は、要求される条件および設計仕様によって多様に変更されうる。
【００７７】
同時に、探針部材１００は、患者の衛生を考慮して、使い捨てのものとして製作されうる。また、探針部材１００の反復的な使用を強制するための手段（例えば、開封防止タグ、ソフトウェア、ＲＦＩＤ、センサーまたはステッカーなど）及び装置（例えば、視覚的警報装置または聴覚的警報装置）が、共に備えられることも可能である。場合によっては、殺菌または滅菌の処理工程を通じて探針部材を再使用することが可能でありうる。
【００７８】
電極２００は、粘膜（例えば、膣粘膜）に直接に接触されるのであって、電気信号を印加するようにヘッド部１２０に備えられる。
【００７９】
ここで、電極２００が粘膜に接触されて電気信号を印加するというのは、粘膜の疾患または異常症状を好転させるために、粘膜下組織の血管に電気信号を印加することと定義されるのであり、電気信号の種類および特性によって本発明が制限されたり限定されたりするのではない。
【００８０】
一例として、電極２００は、膣粘膜に無線周波数（ＲＦ）のエネルギーを印加するように構成されうる。場合によっては、電極が極超短波または超音波といった他の類型のエネルギーを印加するように構成されることも可能である。
【００８１】
電極２００としては、通常のモノポーラ電極２００またはバイポーラ電極２００が使用されうるのであり、電極２００の種類によって本発明が制限されたり限定されたりするのではない。
【００８２】
電極２００は、電極を二つに分けてその中間に絶縁体を置くことによって一対の電極が形成されるか、二つ以上の複数個に分けてその間ごとに絶縁体を置くことによって、複数個の対の電極が形成されるようにして、一つの電極は（＋）電極として動作し、隣接する電極は（−）電極として正極性を帯びるように構成することができる。
【００８３】
また、電極２００から印加される電気信号は、交流電気信号であってもよい。交流電気信号は、治療組織内の血管に熱凝固反応を効果的に誘発する特性を有する。
【００８４】
他の例としては、電極から印加される電気信号が直流電気信号であってもよい。直流電気信号は、治療組織内に薬物などの物質を伝達することを助けるか、組織を破壊する特性を有する。
【００８５】
電極２００から印加される電気信号は、０．３〜３００Ｍｈｚの周波数を有することができる。一例として、電極２００から印加される電気信号は０．５〜１０Ｍｈｚの周波数を有することができる。他の例として、電極２００から印加される電気信号は０．５〜３Ｍｈｚの周波数を有することができる。このように、電極２００から印加される電気信号が０．３〜３００Ｍｈｚの周波数を有するようにすることによって、炎症過程の原因または悪化の要因になる粘膜下組織の血管に、適切な熱反応を引き起こすことができる。
【００８６】
炎症過程の原因または悪化の要因になる血管は、大部分が新生血管（未成熟血管）であって、血管壁を構成する細胞間の結合が一般の正常血管に比べて緩い状態にあり、その太さが正常血管に比べて細くて、血管壁の細胞構造が軟弱で、正常血管とは異なり、相対的に、より弱い電気的磁極によっても、簡単に破壊される性向を有している。
【００８７】
この際、電極２００から印加される電気信号エネルギーの総量は、治療目的を達成することができるように、予め設定された値であり得る。より具体的に、治療組織（例えば、膣粘膜の上皮組織または粘膜下組織）の温度またはインピーダンス値のフィードバックを受ける制御装置を通じて、治療組織に伝導される電気信号の強度を調節することによって、予め設定された電気信号エネルギーの総量が治療組織に伝導されるようにすることができる。一例として、電気信号エネルギーの総量は、ジュール（ｊｏｕｌｅ）値として設定されるか、伝導時間として設定されうる。
【００８８】
参考として、治療組織の温度またはインピーダンス値は、電極２００に連結される温度センシングライン（またはインピーダンスセンシングライン）によって測定できる。一例として、電極２００の温度センシングは、電極２００の一地点で行われてもよい。場合によっては、電極の温度測定の正確度を高めることができるように、電極の互いに異なる地点にて、それぞれ電極の温度をセンシングすることも可能である。また、治療組織のインピーダンスセンシングは、電極２００の温度センシング地点とは別途の地点に別途のラインを連結して行われるか、温度センシングラインまたは電気信号伝導ラインを共通に用いて行われてもよい。同様に、治療組織のインピーダンスセンシングは、電極２００上にて、ただ一つの地点または複数個の地点で行われうる。
【００８９】
例えば、インピーダンスセンシングで測定されたインピーダンス値は、装置の安定した作動のために特定範囲内に位置するように設定されうる。即ち、治療対象組織のインピーダンス値が過度に低い場合には、過度な電流が流れて危険であり得るのであり、反対に治療対象組織のインピーダンス値が過度に高い場合には、電気信号を印加するために非常に高い電圧が必要となるので、任意の組織に使用するに適当なインピーダンス値の設定が必要である。例えば、皮膚および皮膚と連結された粘膜組織の場合、１０〜３００Ωに設定されたインピーダンス設定範囲で電気信号が印加されるように設定されうる。
【００９０】
即ち、本発明の実施形態による粘膜下組織治療装置１０は、治療組織の火傷などの副作用を防止するために、施術者が予め設定した限界組織温度を超えない条件で電気信号を制御するように構成されうる。
【００９１】
また、患者が危険を感じれば装置の作動を中断させることができる応急スイッチ手段が備えられ得る。ここで、応急スイッチによって装置の作動が中断された後、温度フィードバック装置を通じて測定された、組織の温度が特定温度以下に下がった場合には、再び装置が作動するように構成されうる。
【００９２】
そして、治療組織の目標温度は、４２℃〜４５℃に設定されうる。ここで、電極２００にて測定される温度と、治療組織にて測定される実際の温度とは異なりうるのであり、電極２００の温度が治療組織の温度よりも３℃〜５℃、より高いのでありうる。また、治療組織の表面（例えば、上皮）の温度は、深部（例えば、粘膜下組織）の温度と異なりうるので、治療組織の目標温度は深部の温度が４２℃〜４５℃であるということをさらに含むことができる。一方、電極２００の形状および大きさは、要求される条件および設計仕様によって多様に変更されうる。
【００９３】
一例として、電極２００は、ヘッド部１２０の外表面に突出した板の形態に形成されうる。ここで、電極２００の外表面は曲面に形成されうるのであり、ここで、電極２００の外表面は、ヘッド部１２０の外表面の曲面に対応する形態の曲面に形成されうる。一例として、球形の一部、即ち、球の外面の一部に対応する曲面に形成されうる。他の例として、楕円体の外面の一部に対応する曲面に形成されうる。
【００９４】
図２、図３および図９に示されているように、電極２００の外表面は曲面に形成することによって、曲面の中央点を基準にして、放射状に均等に電気信号が放出されて、より広い部位に電場を形成させることができ、電極２００と粘膜との接触による粘膜の傷を最少化し、電極２００と粘膜の接触効率（隙間なく十分に接触される効率）をより高めるという有利な効果を得ることができる。
【００９５】
一方、場合によっては、電極を、ヘッド部の外表面にぼこっと陥没した形態に形成することも可能である。電極が窪んだ形態に形成された構造では、電極の外表面に粘膜を吸着させるための真空圧が、電極の外表面と粘膜との間に印加されうる。
【００９６】
本発明の一実施形態で、電極２００は、ヘッド部１２０より小さな大きさで形成され、ヘッド部１２０の外表面を部分的に覆うように装着されうる。参考として、本発明の実施形態では、ヘッド部１２０にただ一つの電極２００が設けられた例を挙げて説明しているが、これに限定されるのではなく、ヘッド部に複数個の電極が設けられてもよい。電極２００は電気伝導性に優れ、熱伝導性に優れた材質から形成されうるのであり、電極２００の材質は、要求される条件によって多様に変更されうる。一例として、電極２００は、ステンレス、銅、アルミニウム、金、銀などから形成されうる。
【００９７】
また、図１２を参照すれば、電極２００の外表面には、電極２００から粘膜への熱伝導を抑制するコーティング層２１０が形成されうる。これは、電極２００と粘膜との直接的な接触による粘膜表面の急激な温度上昇を防止し、粘膜表面の温度上昇による患者の痛みを低減させるためである。
【００９８】
即ち、電極２００が粘膜に直接に接触されれば、粘膜下組織の温度が目標温度まで到達しなかったにもかかわらず、患者は、粘膜表面の温度上昇による痛みを感じうるようになる。
【００９９】
しかし、本発明の一実施形態によれば、電極２００と粘膜表面との間にコーティング層２１０を設けることによって、粘膜表面での急激な温度上昇を防止しながら、粘膜下組織の温度を目標温度まで到達させることができるので、粘膜治療時に患者の痛みを最少化するという有利な効果を得ることができる。さらに、患者の痛みを最少化しながら治療時間をより増やすことができるので、治療効果をより高めるという有利な効果を得ることができる。
【０１００】
コーティング層２１０としては、熱伝導率が低く、電気信号印加が可能な多様な材質から形成されうるのであり、コーティング層２１０の材質によって本発明が制限されたり限定されたりするのではない。一例として、コーティング層２１０は、シリコーン（Ｓｉｌｉｃｏｎｅ）、ポリウレタン（Ｐｏｌｙｕｒｅｔｈａｎｅ）、紙（ｐａｐｅｒ）、ナイロン（Ｎｙｌｏｎｅ）などの物質のうちの一つまたは複合で形成されうる。好ましくは、コーティング層２１０は、電極２００から印加される電気信号が透過可能な、非常に薄い厚さ（例えば、０．１〜５ｍｍ）に形成されうる。治療組織の深部に伝導される電気信号によって起こる、熱反応の最大深さは、通常、電極２００の最大長さの１／２に該当するものとして知られている。したがって、電極２００のある部分が治療部位に接触しても、均一な治療効果が得られるように、電極２００は、横の長さと縦の長さが同一である四角形の形態に形成されうる。また、隅角部に熱反応が集中されるエッジ効果（ｅｄｇｅ  ｅｆｆｅｃｔ）を防止することができるように、電極２００の隅角部はラウンド（丸い形態）に形成されうる。
【０１０１】
電極２００の大きさは、治療組織の形態と、目標にする治療深さに応じて、適切に選択されうるが、電極２００の横と縦の長さを同一に形成することで、電極２００と人体との接触面の面積を最大限に大きくすることができる。
【０１０２】
このように、電極２００の横と縦の長さを同一に形成すれば、電極２００の表面の抵抗値を最小に減らして、治療組織の表面の温度上昇を最少化することができるので、火傷などの副作用を最少化し、治療組織の血管にて熱反応を最大化することができる。
【０１０３】
一例として、本発明の一実施形態による粘膜下組織治療装置１０が、膣粘膜下組織の血管治療のための用途に使用される場合、電極２００の横の長さまたは縦の長さは、１５〜２０ｍｍに形成されうる。
【０１０４】
このように、電極２００の横および縦の長さを１５〜２０ｍｍに形成すれば、膣粘膜表面から膣粘膜下組織の深部層までの厚さが７〜１０ｍｍであるので、血管に作用する熱反応領域を、粘膜下組織の全体に均等に形成することができ、電極の大きさが、あまりにも過大とういのでなく、電極２００に取り付けられる温度センシングライン（Ｔｈｅｒｍｏ  ｃｏｕｐｌｅｒ）が、電極２００の全体の温度を均等に反映することができる。さらに好ましくは、電極２００の横の長さまたは縦の長さは１６〜１８ｍｍでありうる。
【０１０５】
電極２００の厚さは、０．１〜０．５ｍｍに形成されうる。電極２００の厚さが０．５ｍｍより厚ければ、治療組織の温度と電極２００の温度との間の差が大きくなるという問題点があり、温度センシングラインが電極２００に取り付けられる部位と、温度センシングラインから遠く離れた部位との間の温度差が大きくなるという問題点がある。また、電極２００の厚さが０．１ｍｍより薄ければ、粘膜治療の施術時に、治療組織によって電極２００に加えられる圧力によって、電極２００が変形する可能性があり、治療の安全性が低下するという問題点がある。したがって、電極２００の厚さは０．１〜０．５ｍｍが適当であり、好ましくは０．２〜０．４ｍｍでありうる。場合によっては、電極の横と縦の長さが互いに異なる細長い形態であってもよく、この場合にも電極は、横方向及び縦方向のいずれにも曲面の形態に形成されうる。
【０１０６】
一方、図１３を参照すれば、本発明の他の実施形態として、電極２００は、探針部材１００に密着する電極パッド２０２と、電極パッド２０２の外表面に突出させて形成される電極突起２０４を含むことができる。
【０１０７】
このように、電極パッド２０２の外表面に電極突起２０４を突出させることによって、電極突起２０４に集中的に電気信号を印加させることができるので、治療組織について、フラクショナルに、局所部位のみ集中的に治療することで回復期間を短くし、火傷などの副作用を減らすという有利な効果を得ることができる。
【０１０８】
電極突起２０４は、要求される条件および設計仕様に応じて、半球の形態、または先がとがった柱の形態などに形成されうるが、電極突起２０４の形態によって本発明が制限されたり限定されたりするのではない。
【０１０９】
一方、探針部材１００には、コネクタを通じて電気信号発生装置（図示せず）が連結され、電気信号発生装置が設けられた本体部（図示せず）には電源供給を安定化するパワーサプライ、および、温度、インピーダンス、電気信号強度を制御する中央制御装置（ＣＰＵ）などが備えられうる。
【０１１０】
また、本体部には、温度センシング装置、インピーダンスセンシング装置、これら測定値を変換する演算装置またはソフトウェアプログラムが備えられうる。
【０１１１】
その他にも、本体部には、目標治療温度、目標治療時間、または目標電気信号エネルギーを施術者が予め設定するユーザーインターフェースが備えられうる。ユーザーインターフェースは、リアルタイムで、電極２００の温度または治療組織の温度を表示するか、治療組織のインピーダンスを表示することができる。これは、施術者が、それぞれの治療組織のインピーダンス値によって、治療エネルギーを推し量ることができる診断機能を助ける。
【０１１２】
例えば、治療部位組織のインピーダンスが低い場合は、高い電気信号出力で短時間治療することが好ましく、治療組織のインピーダンスが高い場合は、低い電気信号出力で長時間治療することが、治療表面の火傷を予防しながら効果的な治療を行うのに有利である。
【０１１３】
ガイド部材３００は、治療部位の粘膜に対する電極２００の位置を案内するように備えられる。
【０１１４】
ここで、治療部位粘膜に対する電極２００の位置を案内するというのは、粘膜に対して電極２００がどの位置に位置しているかを、施術者に認知または特定させることであると定義される。
【０１１５】
これは、粘膜下組織の血管処置の施術の安全性を保障し、施術の便宜性を向上させるためである。
【０１１６】
即ち、治療部位粘膜に対する電極２００の位置を案内する手段がない場合には、身体内部に挿入された電極２００の位置を施術者が正確に認知しにくくて、粘膜の全部位を均一に治療しにくいという問題が発生し、施術特性上、施術者の経験および力量に大きく依存するため、客観的な治療が難しいという問題点が発生しうる。
【０１１７】
一例として、本発明の実施形態による粘膜下組織治療装置１０が、膣の粘膜下組織の治療に使用される場合、膣内部に挿入された電極２００の位置を正確に制御しなければ、膣粘膜に隣接した周辺の神経や組織にて、熱火傷または組織狭窄などの副作用が発生するという問題点が生じうる。
【０１１８】
特に、膣の円周方向に沿って、尿道が位置する１２時方向を基準にして、１１時方向と１時方向との間で膣粘膜に大きな深部熱が加えられれば、尿道狭窄のように取り返しのつかない副作用が発生することもありうる。
【０１１９】
しかし、本発明の実施形態は、ガイド部材３００を媒介として粘膜に対する電極２００の位置の案内を受けて、電極２００の位置を制御することができ、治療対象粘膜の周辺の神経や組織の損傷および副作用を最少化しながら、治療効果を極大化するという有利な効果を得ることができる。
【０１２０】
また、電極２００の位置を正確に認知しながら粘膜処理の施術が可能であるため、施術者の経験および力量に大きく制約を受けることなく、客観的で専門的な治療を可能にするという有利な効果を得ることができる。
【０１２１】
本発明の実施形態によれば、ガイド部材３００は、粘膜に対して位置が固定され、探針部材１００は、ガイド部材３００に選択的に回転可能に収容されうる。図９には本発明の一実施形態として、膣に使用されるとともに固定装着されたガイド部材３００が示されており、回転可能に設けられた探針部材１００が示されている。
【０１２２】
このように、粘膜に対してガイド部材３００の位置を固定させ、ガイド部材３００に対して探針部材１００が回転するようにすることによって、探針部材１００に装着された電極２００が膣の内部に挿入されて隠されても、施術者はガイド部材３００を基準にして電極２００の位置を認知することができる。
【０１２３】
図５に示されているように、本発明の一実施形態によれば、ガイド部材３００には基準位置表示部３０２が形成され、基準位置表示部３０２を基準にして、粘膜に対する電極２００の回転位置を制御することができる。
【０１２４】
基準位置表示部３０２は、ガイド部材３００の外表面に、突起の形態、または陥没した凹部の形態に形成されうる。他の例として、基準位置表示部が、ラインの形態またはドットの形態などに、マーキングされるか塗色されてもよい。以下では、基準位置表示部３０２が、陥没した凹部の形態に、ただ一つだけ形成された例を挙げて説明する。但し、これに限定されるのではなく、ガイド部材に複数個の基準位置表示部が形成されてもよい。
【０１２５】
一例として、基準位置表示部３０２及び電極２００がいずれも１２時方向（１２：００）に位置するように、ガイド部材３００と探針部材１００を配置し、膣の外部にガイド部材３００を固定させた状態で、探針部材１００に装着された電極２００を膣の内部に挿入すれば、施術者は、基準位置表示部３０２を基準にして電極２００が膣粘膜のどの位置に位置しているかを正確に認知することができる。
【０１２６】
一方、図６に示されているように、ガイド部材３００は、探針部材１００が回転可能に収容される第１収容ホール３１２が形成されたガイド本体部３１０と、第１収容ホール３１２と連通され探針部材１００が回転可能に収容される第２収容ホール３２２が形成され、ガイド本体部３１０に一体に拡張形成される拡張ガイド部３２０とを含むことができる。
【０１２７】
例えば、拡張ガイド部３２０は、ガイド本体部３１０に隣接した根本端（ｐｒｏｘｉｍａｌ  ｅｎｄ）から先端（ｄｉｓｔａｌ  ｅｎｄ）へと行くほど拡張された断面積を有するように形成されうる。
【０１２８】
言い換えれば、拡張ガイド部３２０は、ガイド本体部３１０から遠くなるほど第２収容ホール３２２の直径が増加する形状でありうる。たとえば、拡張ガイド部３２０は、ラッパの形態のように一端から他端に行くほど漸進的に拡張された断面積を有するように形成されうる。
【０１２９】
ここで、拡張ガイド部３２０の断面は円形であるか、多角形または楕円の形態に形成されうるのであり、拡張ガイド部３２０の形態および構造によって本発明が制限されたり限定されたりするのではない。例えば、拡張ガイド部３２０は、膣の入口の外側にて固定することが可能なサイズ（膣の入口の外側にて掛け止めされる大きさ）に形成されうる。
【０１３０】
このように、ガイド部材３００は、粘膜に対する電極２００の位置を施術者に認知させると共に、電極２００が治療しようとする目標組織に正確に位置するようにし、治療中に電極２００の位置が動くことを最少化することができるようにする。
【０１３１】
また、探針部材１００は、ガイド部材３００に挿入された状態で、ガイド部材３００に対して回転するとともに、ガイド部材３００の軸線方向（第１収容ホール３１２が形成された方向）に沿って直線移動するように構成されうる。したがって、膣の内部における円周方向に沿った電極２００の移動（回転）と、膣の内部における長さ方向に沿った電極２００の移動（直線移動）が可能になる。
【０１３２】
一方、再び図１を参照すれば、本発明の一実施形態による粘膜下組織治療装置１０は、ガイド部材３００に対する探針部材１００の回転および直線移動をガイドする移動ガイド部４００を含むことができる。
【０１３３】
ここで、ガイド部材３００に対する探針部材１００の直線移動をガイドするというのは、ガイド部材３００に対して探針部材１００が直線移動経路に沿って移動中に、直線移動経路を外れる探針部材１００の移動を抑制し、探針部材１００が直線移動経路に沿ってのみ移動するようにガイドすることであると定義される。
【０１３４】
また、ガイド部材３００に対する探針部材１００の回転をガイドするというのは、ガイド部材３００に対する探針部材１００の回転中心が外れることを抑制し、探針部材１００の回転中心を一定に維持させることであると定義される。
【０１３５】
移動ガイド部４００は、要求される条件および設計仕様に応じて、多様な方式でガイド部材３００に対する探針部材１００の回転および直線移動をガイドするように構成されうる。
【０１３６】
一例として、図１を参照すれば、移動ガイド部４００は、探針部材１００に形成されるガイド溝１３０と、ガイド溝１３０に沿って移動可能にガイド部材３００に形成されるガイド突起３３０を含むことができる。
【０１３７】
ガイド突起３３０がガイド溝１３０に収容された状態では、ガイド突起３３０が、ガイド溝１３０の外側に移動することが抑制されるので、ガイド部材３００に対する探針部材１００の回転および直線移動をガイドすることができる。
【０１３８】
また、図２に示されているように、探針部材１００には、ガイド溝１３０と連通されるように進入溝１３６が形成されうるのであり、ガイド突起３３０は、進入溝１３６を経てガイド溝１３０に進入される。一例として、進入溝１３６は、探針部材１００の長さ方向に沿って直線形態に形成されうる。場合によっては、進入溝を曲線の形態に形成するか、探針部材の長さ方向に対して傾斜した形態に形成することも可能である。
【０１３９】
図２および３を参照するならば、本発明の一実施形態において、ガイド溝１３０は、探針部材１００の長さ方向に沿って探針部材１００の外表面に形成される直線ガイド溝１３２と、直線ガイド溝１３２と連通され探針部材１００の周縁方向に沿って探針部材１００の外表面に形成される回転ガイド溝１３４を含むことができる。
【０１４０】
これにより、ガイド突起３３０が直線ガイド溝１３２に沿って移動中にはガイド部材３００に対する探針部材１００の直線移動がガイドされ、ガイド突起３３０が回転ガイド溝１３４に沿って移動中にはガイド部材３００に対する探針部材１００の回転がガイドされる。
【０１４１】
本発明の一実施形態によれば、回転ガイド溝１３４は、探針部材１００の長さ方向に沿って離隔されるように複数個が備えられ、複数個の回転ガイド溝１３４のそれぞれは、直線ガイド溝１３２と連通されうる。ここで、複数個の回転ガイド溝１３４は、探針部材１００の長さ方向に沿った電極２００の長さ（図３のＬ１）だけ離隔されてもよい。即ち、複数個の回転ガイド溝１３４は、探針部材１００の長さ方向に沿った電極２００の長さ（図３のＬ１）を離隔ピッチ（図１１のＰ２）にして離隔されるように形成されうる。
【０１４２】
このように、探針部材１００の長さ方向に沿った電極２００の長さ（図３のＬ１）を離隔ピッチ（図１１のＰ２）にして、複数個の回転ガイド溝１３４を、離隔されるように形成し、ガイド突起３３０が各回転ガイド溝１３４を段階的に経るようにすることによって、図１１のように、粘膜の長さ方向による治療（例えば、Ｈ１→Ｈ１’またはＨ２→Ｈ２’）を行う際、治療部位が重複されるか漏れることなく、均一に治療が行われる。
【０１４３】
本発明の一実施形態によれば、各回転ガイド溝１３４を経るガイド突起３３０の直線移動経路（ＭＺ、ＭＬ）は、ジグザグの形態に構成されうる（図３参照）。または、各回転ガイド溝１３４を経るガイド突起３３０の直線移動経路（ＭＺ、ＭＬ）が、連続的な直線形態に構成されうる。
【０１４４】
一例として、図３を参照すれば、直線ガイド溝１３２は、複数個の回転ガイド溝１３４のうちの、互いに隣接した、ある一対の間に形成される第１区間ガイド溝１３２ａと、複数個の回転ガイド溝１３４のうちの、互いに隣接した、他の一対の間に形成され、探針部材１００の長さ方向に沿って、第１区間ガイド溝１３２ａと互いに異なる線の上に配置される第２区間ガイド溝１３２ｂを含むことができる。
【０１４５】
例えば、複数個の回転ガイド溝１３２は、連続して隣接配置される第１、２及び３回転ガイド溝１３２を含むことができ、第１及び２回転ガイド溝１３２の間の第１区間には第１区間ガイド溝１３２ａが形成され、第２及び３回転ガイド溝１３２の間であって前記第１区間に隣接する第２区間には、第２区間ガイド溝１３２ｂが形成されるのでありうる。ここで、第１区間ガイド溝１３２ａと第２区間ガイド溝１３２ｂとは、互いに異なる線上に配置されうる。
【０１４６】
このように、直線ガイド溝１３２を構成する、第１区間ガイド溝１３２ａと第２区間ガイド溝１３２ｂとが、互いに異なる線上に配置されるようにすることによって、ガイド突起３３０は、第１区間ガイド溝１３２ａに沿って移動した後、直ちに第２区間ガイド溝１３２ｂに進入できず、回転ガイド溝１３４を経た後に、はじめて、第２区間ガイド溝１３２ｂに進入できる。即ち、ガイド突起３３０は、第１区間ガイド溝１３２ａ→回転ガイド溝１３４→第２区間ガイド溝１３２ｂを経る、ジグザグの移動経路に沿って移動することとなる。
【０１４７】
施術者の不注意または経験不足などによってガイド部材３００に対する探針部材１００の直線移動が過度に行われれば、電極２００による治療効率が低下し、患者にダメージを与えるという問題点が発生しうる。しかし、本発明の一実施形態は、ガイド部材３００に対する探針部材１００の直線移動が、それぞれの回転ガイド溝１３４同士が離隔された間隔だけ（ごとに）、段階的に行われるようにすることによって、治療効率を高め、治療の安全性および便宜性を向上させるという有利な効果を得ることができる。
【０１４８】
他の一例として、図７を参照すれば、直線ガイド溝１３２は、複数個の回転ガイド溝１３４のうちの、互いに隣接した、ある一対の間に形成される第１区間ガイド溝１３２ａ’と、複数個の回転ガイド溝１３４のうちの、互いに隣接した、他の一対の間に形成され、探針部材１００の長さ方向に沿って第１区間ガイド溝１３２ａ’と同一の線上に配置される第２区間ガイド溝１３２ｂ’とを含むことができる。
【０１４９】
このように、直線ガイド溝１３２を構成する、第１区間ガイド溝１３２ａ’と第２区間ガイド溝１３２ｂ’とが、互いに同一線上に配置されるようにすることによって、ガイド突起３３０は、第１区間ガイド溝１３２ａ’に沿って移動した後、第２区間ガイド溝１３２ｂ’に直ちに進入できる。即ち、ガイド突起３３０は、第１区間ガイド溝１３２ａ’→第２区間ガイド溝１３２ｂ’を経る直線移動経路に沿って移動するようになる。
【０１５０】
患者の状態によって粘膜の特定部位（例えば、傷の部位）には電極２００による治療が行われにくい場合がある。よって、本発明の一実施形態は、ガイド部材３００に対する探針部材１００の直線移動が第１区間ガイド溝１３２ａ’と第２区間ガイド溝１３２ｂ’で連続的に行われるようにすることによって、治療が不必要な部位にて電極２００をより速かに通過させることができるので、治療時間を短縮し、治療効率を高めるとうい有利な効果を得ることができる。
【０１５１】
また、図２を参照するならば、本発明の一実施形態において、ガイド溝１３０には、ガイド突起３３０が収容されて一時的に拘束される拘束凹部１３８が形成されうる。
【０１５２】
一例として、拘束凹部１３８は、図１に拡大して示されているように、ガイド突起３３０について選択的に収容または引出が可能な半球形の形態に形成されうる。
【０１５３】
これにより、ガイド突起３３０が拘束凹部１３８に収容された場合、探針部材１００に外力（施術者の操作力）が加えられることなしには、ガイド突起３３０の配置状態が拘束されて位置が維持される。これに対し、ガイド突起３３０が拘束凹部１３８に収容された状態にて、探針部材１００に外力、例えば施術者の操作力などが加えられれば、ガイド突起３３０が拘束凹部１３８から抜け出ることとなる。
【０１５４】
このように、ガイド溝に拘束凹部１３８を形成することによって、探針部材１００の操作時に施術者に操作感を感じるようにすることができ、粘膜に対する電極２００の位置を視覚的に認知（例えば、基準位置表示部３０２を基準にして電極２００の位置を認知）すると共に触覚的（ガイド突起３３０が拘束凹部１３８に収容または引き出される時に感じられる音および衝撃）に認知することができるようにする。
【０１５５】
一例として、拘束凹部１３８は図２のように複数個が備えられ、探針部材１００の円周方向に沿って離隔されるようにして、回転ガイド溝１３４に形成されうる。ここで、拘束凹部１３８は、探針部材１００の円周方向に沿って等間隔に離隔されるように形成されうる。また、拘束凹部１３８は、探針部材１００の円周方向に沿った、電極２００の長さ（図３のＬ２）だけ離隔されてもよい。即ち、拘束凹部１３８は、探針部材１００の円周方向に沿った電極２００の長さ（図３のＬ２）を離隔ピッチ（図１１のＰ１）として離隔されるように形成されうる。
【０１５６】
このように、探針部材１００の円周方向に沿った電極２００の長さ（Ｌ２）を離隔ピッチ（Ｐ１）として、回転ガイド溝１３４に複数個の拘束凹部１３８を形成し、ガイド突起３３０がそれぞれの拘束凹部１３８を段階的に経るようにすることによって、図１１のように、膣粘膜の円周方向に沿った治療（例えば、Ｈ１→Ｈ２→Ｈ３→Ｈ４）を行う際、治療部位が重複されたり漏れたりすることなく、均一に治療が行われる。また、拘束凹部１３８を通じて感知される操作感を用いて、特定部位の治療を、意図的に重複させたり漏れさせたりすることも可能である。
【０１５７】
より詳しくは、回転ガイド溝１３４の円周方向に沿って等間隔で離隔されるように複数個の拘束凹部１３８を形成して、探針部材１００について回転操作を行うならば、施術者は、ガイド突起３３０が拘束凹部１３８を通り過ぎる時ごとに発生される操作感によって、電極２００が膣粘膜の内部にてどれだけ回転したのかを知ることができる。
【０１５８】
たとえば、複数個の拘束凹部１３８は、回転ガイド溝１３４の円周方向に沿って６０°の間隔で形成されうるのであり、探針部材１００についての回転操作によって、ガイド突起３３０が拘束凹部１３８を１度通り過ぎる時ごとに発生される操作感によって、電極２００が膣粘膜の内部にて６０°だけ回転したのかを知ることができる。
【０１５９】
一方、図７および図８を参照すれば、ガイド部材３００には、ガイド突起３３０の周辺に切開部３４０が形成されており、切開部３４０によって、一端に固定端を有し他端に自由端を有するカンチレバー（ｃａｎｔｉｌｅｖｅｒ）構造が形成されることによって、ガイド突起３３０は、カンチレバー構造に形成されうる。
【０１６０】
即ち、ガイド突起３３０は、ガイド部材３００における一対の切開部３４０の間に形成される、カンチレバー（ｃａｎｔｉｌｅｖｅｒ）構造の自由端に配置されうる。
【０１６１】
一例として、ガイド本体部３１０の端部には、探針部材１００の長さ方向に形成され、探針部材１００の周縁方向に相互に離隔される、一対の切開部３４０が形成されうる。場合によっては、切開部３４０をこれとは異なる他の方向に形成することも可能である。ここで、ガイド突起３３０は、一対の切開部３４０によって形成されるカンチレバー（ｃａｎｔｉｌｅｖｅｒ）構造の自由端に配置されうる。
【０１６２】
このように、ガイド突起３３０がカンチレバー構造を通じて弾性的に遊動しうるようにすることによって、ガイド溝１３０におけるガイド突起３３０の円滑な移動を保障し、拘束凹部１３８に対するガイド突起３３０の拘束および解除が、より自然に行われうる。
【０１６３】
また、図３を参照すれば、探針部材１００には、ガイド部材３００に対する探針部材１００の位置を表示する、位置表示部１４０が形成されうる。
【０１６４】
ここで、ガイド部材３００に対する探針部材１００の位置とは、ガイド部材３００に対する、探針部材１００の回転位置と直線移動位置を全て含むものとして定義される。
【０１６５】
一例として、位置表示部１４０は、探針部材１００の長さ方向に沿って探針部材１００の外表面に形成されうるのであり、位置表示部１４０の位置を基準にして、粘膜に対する電極２００の回転位置および直線移動位置を制御することができる。たとえば、ガイド部材３００に形成された基準位置表示部３０２と、位置表示部１４０とを比較することで、電極２００の回転位置を知ることができる。
【０１６６】
位置表示部１４０は、探針部材１００の外表面に、ドットの形態またはラインの形態などにマーキングされるか塗色されうる。他の形態としては、位置表示部が、探針部材の外表面に、突起の形態、または陥没した凹部の形態に形成されうる。
【０１６７】
また、図４を参照すれば、ヘッド部１２０の内部には、重量体１５０が備えられうる。
【０１６８】
ここで、重量体１５０は、探針部材１００におけるヘッド部１２０の重量を増加させるために、ヘッド部１２０に内蔵される錘（おもり）を含むことができる。
【０１６９】
このように、重量体１５０を通じて、探針部材１００にてヘッド部１２０の重量を最も大きくすることによって、ヘッド部１２０を身体の内部に挿入した状態で、探針部材１００の配置安全性を高め、探針部材１００の操作をより容易に行うことができる。もし、探針部材１００にてヘッド部１２０の重量が最も小さければ、ヘッド部１２０が身体内部に挿入された状態で、簡単に身体の外部に離脱しうるのであり、操作性が低下するという問題点が発生しうる。
【０１７０】
本発明の一実施形態による粘膜下組織治療装置１０は、電極２００が、予め決定された、粘膜の非ターゲット部位に位置すれば、電極２００への電源供給を制御する制御部２３０を含むことができる。
【０１７１】
ここで、電極２００への電源供給を制御するというのは、電極２００への電源供給を遮断するか、減少させることを全て含むこととして定義される。
【０１７２】
一例として、治療部位が膣粘膜である場合、非ターゲット部位が尿道（ｕｒｅｔｈｒａ）であり得るのであり、制御部２３０は、電極２００が非ターゲット部位に位置すれば、電極２００への電源供給を中断するか減少させることができる。
【０１７３】
このように、電極２００が尿道部位に位置すれば、電極２００への電源供給を中断するか減少させることによって、尿道部位における熱火傷または組織狭窄を防止するという有利な効果を得ることができる。
【０１７４】
一例として、制御部２３０は、膣の円周方向に沿って尿道が位置する１２時方向（１２：００）を基準にして、１１時方向（１１：００）と１時方向（１３：００）との間に電極２００が位置することと感知すれば、電極２００への電源供給を遮断することができる。
【０１７５】
このように、本発明の一実施形態は、１２時方向（１２：００）に位置している尿道の近接部位を除いて、膣粘膜下組織の血管に、電気信号によって深部熱を加えることで、血管の非正常的な過増殖を正常化することによって、膣組織の収縮性を維持させ、弾力を改善するという効果を得ることができるようにする。
【０１７６】
図１４を参照すれば、本発明の一実施形態においては、電極を含む探針部材の回転及び前後移動について、ユーザーが予め設定した通りに自動的に作動するようにする、モータドライブモジュール５００をさらに含むことができる。
【０１７７】
図面に図示してはいないが、本発明の他の実施形態では、電極２００が複数の電極モジュールから構成されるのであり、探針部材１００におけるヘッド部１２０全体の表面に、複数個の電極モジュールが配置されうる。このことを通じて、電気信号の伝導を、それぞれの電極モジュールに順次に行わせることによって、探針部材１００の直接的な移動なしに、治療対象部位の全体を均等に治療するように構成されうる。
【０１７８】
参考として、前述の本発明の一実施形態では、粘膜下組織治療装置１０が尿道の部位を除いた治療を目的にして使用された例を説明しているが、これに限定されるのではなく、尿道部位の任意の治療（例えば、尿失禁治療）を目的にして、尿道の近接部位である１１時〜１時方向を集中的に治療することも可能である。ここで、尿道部位の治療時には、電極による電気信号が、適した強度に調整されて印加されるように制御されうる。
【０１７９】
前述のように、本発明の多様な実施形態を参照して説明したが、当該技術分野の熟練した当業者であれば、下記の特許請求の範囲に記載された本発明の思想および領域から逸脱しない範囲内で、本発明を多様に修正および変更させることができることを理解できるであろう。
【符号の説明】
【０１８０】
１０：粘膜下組織治療装置
１００：探針部材
１１０：ロッド部
１２０：ヘッド部
１３０：ガイド溝
１３２：直線ガイド溝
１３２ａ、１３２ａ’：第１区間ガイド溝
１３２ｂ、１３２ｂ’：第２区間ガイド溝
１３４：回転ガイド溝
１３６：進入溝
１３８：拘束凹部
１４０：位置表示部
１５０：重量体
２００：電極
２０２：電極パッド
２０４：電極突起
２１０：コーティング層
２３０：制御部
３００：ガイド部材
３０２：基準位置表示部
３１０：ガイド本体部
３１２：第１収容ホール
３２０：拡張ガイド部
３２２：第２収容ホール
３３０：ガイド突起
３４０：切開部
４００：移動ガイド部
５００：モータドライブモジュール
【図１】
2021514226.tif 000003
【図２】
2021514226.tif 000004
【図３】
2021514226.tif 000005
【図４】
2021514226.tif 000006
【図５】
2021514226.tif 000007
【図６】
2021514226.tif 000008
【図７】
2021514226.tif 000009
【図８】
2021514226.tif 000010
【図９】
2021514226.tif 000011
【図１０】
2021514226.tif 000012
【図１１】
2021514226.tif 000013
【図１２】
2021514226.tif 000014
【図１３】
2021514226.tif 000015
【図１４】
2021514226.tif 000016
【図１５】
2021514226.tif 000017
【図１６】
2021514226.tif 000018
【国際調査報告】
2021514226.tif 000019
2021514226.tif 000020
2021514226.tif 000021
2021514226.tif 000022
2021514226.tif 000023
2021514226.tif 000024